(57)【要約】【課題】Ｏリング数を減らすと共に、Ｏリングの損傷を抑制することができる湯水混合栓を提供する。【解決手段】湯水混合栓の混合栓機構は、樹脂製のケーシングと２２、ケーシングの先端部に形成された、給湯口と連通した湯流入口Ａと、ケーシングの湯流入口に設けられた湯弁座２２ｄと、ハウジング４に形成された、水が流入される水流入口Ｂと、ハウジングの水流入口に設けられた水弁座４ｄと、湯弁座と水弁座に当接する弁体２５ａを有し、湯流入口と水流入口の開度調整を行う、樹脂製の制御弁体２５と、湯流入口と水流入口との間に設けられ、湯流入口と水流入口とを仕切ると共に、制御弁体の弁体に接するＯリング２４と、仕切り壁４ｂに一端が接し、他端が制御弁体に接して配置されたアクチュエータ２８と、を備える。【選択図】図１
2020037988.tif 000002
【特許請求の範囲】
【請求項１】
給湯口と、給水口と、複数の吐出口と、前記給湯口から給湯された湯と前記給水口から給水された水を混合する混合室と、複数の吐出口の切換えを行う切換室と、前記混合室と切換室を仕切る仕切り壁と、前記仕切り壁に形成され、前記混合室と切換室を連通する連通孔と、を有する樹脂製の筒状のハウジングと、前記ハウジング内に収容された混合栓機構と、を少なくとも備える湯水混合栓であって、
前記混合栓機構は、少なくとも、
温度調整用の回転軸を回転可能に支持する、樹脂製のケーシングと、
前記ケーシングの先端部に形成された、前記給湯口と連通した湯流入口と、
前記ケーシングの湯流入口に設けられた湯弁座と、
前記湯流入口と軸方向に並列して、ハウジングに形成された、水が流入する水流入口と、
前記ハウジングの水流入口に設けられた水弁座と、
湯弁座と水弁座に当接する弁体を有し、湯流入口と水流入口の開度調整を行う、樹脂製の制御弁体と、
湯流入口と水流入口との間に設けられ、湯流入口と水流入口とを仕切ると共に、制御弁体の弁体に接するＯリングと、
前記仕切り壁に一端が接し、他端が制御弁体に接して配置された、混合室に配置されたアクチュエータと、
を備えることを特徴とする湯水混合栓。
【請求項２】
前記ケーシングを挿入するハウジング端から水流入口の間において、最小径のハウジング内周面が湯弁座と水流入口の間に形成され、
前記最小径のハウジング内周面に形成された段部に、前記Ｏリングが配置されていることを特徴とする請求項１記載の湯水混合栓。
【請求項３】
前記ハウジングの内周面と前記ケーシングの外周面間に、前記給湯口と連通し、かつ湯流入口と連通する湯流入路が形成されると共に、
前記ケーシングの先端が、前記湯流入口が形成されたケーシングの外径よりも大径に形成され、
前記Ｏリングが、ハウジングに設けられた段部とケーシングの先端間に配置されることにより、湯流入口と水流入口が仕切られることを特徴とする請求項２記載の湯水混合栓。
【請求項４】
前記ハウジング、ケーシング、制御弁体は同一の樹脂で形成されていることを特徴とする請求項１乃至請求項３のいずれかに記載の湯水混合栓。
【発明の詳細な説明】
【技術分野】
【０００１】
本発明は、湯水混合栓に関し、特に、樹脂製のハウジングを有する湯水混合栓に関する。
【背景技術】
【０００２】
従来から、湯水混合栓は、湯と水とを混合して、使用者が設定した所定温度の混合湯水を生成するものとして、シャワー、浴槽、洗面台用のサニタリー装備品等において広く用いられている。
【０００３】
一般的な湯水混合栓としては、例えば、特許文献１に示すように、サーモカートリッジと、サーモカートリッジを収容するハウジングとを備える湯水混合栓装置が知られている。このサーモカートリッジのケーシング内部には、湯水の混合比を調整して混合湯水の温度を変更する湯水混合機構が設けられている。
また、このサーモカートリッジを収容するハウジングは、樹脂製の内側ハウジングと樹脂製の外側ハウジングの二重のハウジングで構成され、湯側および水側の供給配管からサーモカートリッジの湯水混合機構に到る湯側通路と水側通路の他、湯水混合機構から吐水口に向かう混合湯水通路が設けられている。
【０００４】
更に、このサーモカートリッジの外周面（サーモカートリッジが収容される内側ハウジング内周面と間）には、水と混合湯水が混じり合わないように、湯側通路と混合湯水通路の間に第１のＯリングが設けられている。また同様に、湯と水が混じり合わないように、湯側通路と水側通路の間に第２のＯリングが設けられている。更に、内側ハウジング内部を気密にするため、サーモカートリッジの外周面（サーモカートリッジが収容される内側ハウジング内周面と間）には第３のＯリングが設けられている。
【０００５】
そして、ハウジングの湯側通路と水側通路から、サーモカートリッジの湯水混合機構に湯、水が混じり合うことなく供給され、前記湯水混合機構によって所定温度の混合された混合湯水が、ハウジングの混合湯水通路を経て吐水口から吐出するように構成されている。
【０００６】
上記したように、湯、水、混合湯水が混じらず、しかもサーモカートリッジを収容したハウジング内を気密するには、サーモカートリッジの外周面（サーモカートリッジが収容される内側ハウジング内周面と間）には、少なくとも３つのＯリング（第１乃至第３のＯリング）を必要とする。
しかも、湯水混合栓を組み立てる際、第１乃至第３のＯリングは内側ハウジング内周面とすれ合いながら移動するため、この移動距離が長い（擦れ合う距離の長い）Ｏリング、即ち、ハウジングの最も奥に位置するＯリングほど破損し易いという問題があった。
【０００７】
この問題を解決した湯水混合栓装置が、特許文献２において提案されている。この特許文献２記載された湯水混合栓装置にあっては、サーモカートリッジのケーシングに、ハウジングの内面との間の空間を仕切る第１フランジ〜第３フランジが設けられ、この第１フランジ〜第３フランジの外周面にはＯリングが設けられている。
【０００８】
この第１フランジの直径は、第２フランジの直径および第３フランジの直径よりも大きく、かつ、第２フランジの直径と第３フランジの直径は同じに形成されている。
一方、前記ハウジングの内面は、第１フランジと対向する内径が第１フランジの直径以上の第１径となり、第２フランジおよび第３フランジと対向する内径が、第１径未満で第２フランジの直径、第３フランジの直径以上の第２径となるように形成されている。
そして、前記ハウジングの内面は、ハウジングにおけるサーモカートリッジ挿入側から、第１径を有する第１内面、第２径を有する第２内面と順に形成されている。
【０００９】
このように構成された特許文献２の湯水混合栓装置にあっては、サーモカートリッジをハウジングに収納する際、第２フランジ、第３フランジが小径に形成されているため、ハウジングの第１内面（第１径）に擦れ合うことがなく、Ｏリングの破損を抑制することができる。
【先行技術文献】
【特許文献】
【００１０】
【特許文献１】特許第２８２７８０６号公報
【特許文献２】特開２０１７−６７１９１号公報
【発明の概要】
【発明が解決しようとする課題】
【００１１】
上記特許文献２の湯水混合栓装置は、前記したように、サーモカートリッジの第２フランジの直径と第３フランジの直径とが同径に形成され、また第２フランジおよび第３フランジと対向するハウジング内径が、第１径未満で第２フランジの直径、第３フランジの直径以上の第２径となるように構成されている。
そのため、サーモカートリッジをハウジングに収納する際、ハウジングの最も奥に配置される第３フランジ上のＯリングは、ハウジングの第２内面（第２径）に擦れ合いながら移動することとなり、破損する虞があった。
また、湯、水、混合湯水が混じらず、しかもサーモカートリッジを収容したハウジング内を気密するには、サーモカートリッジの外周面（サーモカートリッジが収容される内側ハウジング内周面と間）には、少なくとも３つのＯリングを必要とするため、部品点数を削減し、コストの低減を図るという社会的要請を満たすものではなかった。
【００１２】
本発明者らは、上記課題を解決するため、前記Ｏリングの損傷を抑制すること、前記Ｏリング数を減らすことを前提に鋭意研究した。
そして、本発明者らは、ハウジングの材質を樹脂製とし、サーモカートリッジの一部構成をハウジング側に形成するなど、サーモカートリッジの構成とハウジング構成を見直すことにより、上記課題を解決できることを見出し、本発明を想到するに至ったものである。
【００１３】
本発明は、上記状況のもとなされたものであり、その目的とするところは、Ｏリング数を減らすと共に、Ｏリングの損傷を抑制することができる湯水混合栓を提供することにある。
【課題を解決するための手段】
【００１４】
上記課題を解決するための本発明にかかる湯水混合栓は、給湯口と、給水口と、複数の吐出口と、前記給湯口から給湯された湯と前記給水口から給水された水を混合する混合室と、複数の吐出口の切換えを行う切換室と、前記混合室と切換室を仕切る仕切り壁と、前記仕切り壁に形成され、前記混合室と切換室を連通する連通孔と、を有する樹脂製の筒状のハウジングと、前記ハウジング内に収容された混合栓機構と、を少なくとも備える湯水混合栓であって、前記混合栓機構は、少なくとも、温度調整用の回転軸を回転可能に支持する、樹脂製のケーシングと、前記ケーシングの先端部に形成された、前記給湯口と連通した湯流入口と、前記ケーシングの湯流入口に設けられた湯弁座と、前記湯流入口と軸方向に並列して、ハウジングに形成された、水が流入する水流入口と、前記ハウジングの水流入口に設けられた水弁座と、湯弁座と水弁座に当接する弁体を有し、湯流入口と水流入口の開度調整を行う、樹脂製の制御弁体と、湯流入口と水流入口との間に設けられ、湯流入口と水流入口とを仕切ると共に、制御弁体の弁体に接するＯリングと、前記仕切り壁に一端が接し、他端が制御弁体に接して配置された、混合室に配置されたアクチュエータと、を備えることを特徴としている。
【００１５】
このように、給湯口から給湯された湯と給水口から給水された水を混合する混合室と、前記混合室と切換室を仕切る仕切り壁がハウジングに形成されると共に、この仕切り壁に混合室と切換室を連通する連通孔が形成され、更に前記ハウジングに水流入口の水弁座が設けられている。
そのため、混合室からの混合湯水と水流入口からの水が混じりあうことがなく、従来にようにＯリングを設ける必要がない。即ち、本発明にかかる湯水混合栓にあっては、湯流入口と水流入口との間に設けられ、湯流入口と水流入口とを仕切ると共に、制御弁体の弁体に接する一つのＯリングを設けることで、湯、水、混合湯水の混じり合うのを阻止することができる。
【００１６】
ここで、前記ケーシングを挿入するハウジング端から水流入口の間において、最小径のハウジング内周面が湯弁座と水流入口の間に形成され、前記最小径のハウジング内周面に形成された段部に、前記Ｏリングが配置されていることが望ましい。
このように、ケーシングを挿入するハウジング端からみて、湯弁座と水流入口の間に形成された最小径のハウジング内周面に形成された段部に、前記Ｏリングが配置されるため、ケーシングを挿入するハウジング端側からＯリングを収容しても、Ｏリングはハウジングの内周面と擦れあることがなく、Ｏリングの損傷を抑制することができる。
【００１７】
また、前記ハウジングの内周面と前記ケーシングの外周面間に、前記給湯口と連通し、かつ湯流入口と連通する湯流入路が形成されると共に、前記ケーシングの先端が、前記湯流入口が形成されたケーシングの外径よりも大径に形成され、前記Ｏリングが、ハウジングに設けられた段部とケーシングの先端間に配置されることにより、湯流入口と水流入口が仕切られることが望ましい。
このように構成されているため、ケーシングをハウジング内に収容することで、給湯口と連通し、かつ湯流入口と連通する湯流入路が形成され、また、前記Ｏリングがハウジングに設けられた段部に押圧され、湯流入口と水流入口が仕切られ、湯、水の混じり合うのを阻止することができる。
【００１８】
また、前記ハウジング、ケーシング、制御弁体は同一の樹脂で形成されていることが望ましい。
前記ハウジング、ケーシング、制御弁体は同一の樹脂で形成されている場合には、弁及び弁座の磨耗を抑制できる。
【発明の効果】
【００１９】
本発明によれば、Ｏリング数を減らすと共に、Ｏリングの損傷を抑制することができる湯水混合栓を得ることができる。
【図面の簡単な説明】
【００２０】
【図１】図１は本発明にかかる湯水混合栓の実施形態を示す斜視図である。
【図２】図２は図１に示した実施形態の正面図である。
【図３】図３は、図２のＡ−Ａ断面図である。
【図４】図４は、図３に示した制御弁体を示す図であって、（ａ）は側面図、（ｂ）は正面図である。
【図５】図５は、図３に示した湯流入口と水流入口部分の要部拡大図である。
【図６】図６は、本発明にかかる湯水混合栓の組立ての一例を説明するための正面図であって、図２に対応する図である。
【図７】図７は、図６のＡ−Ａ断面図である。
【図８】図８は、本発明にかかる湯水混合栓の組立ての他の例を説明するための正面図であって、図２に対応する図である。
【図９】図９は、図８のＡ−Ａ断面図である。
【発明を実施するための形態】
【００２１】
以下、本発明の実施形態にかかる湯水混合栓を図１乃至図７に基づいて説明する。
図１に示すように、湯水混合水栓１は、湯水を混合する混合栓機構２及び吐出切換機構３を収容するハウジング４を備えている。このハウジング４は略円筒状に形成され、前記湯水を混合する混合栓機構２はハウジング４の一端側に、湯水切換機構３はハウジング４の他端側に収容されている。
【００２２】
また、このハウジング４には、湯を供給する湯供給管が接続される給湯口５と、水を供給する水供給管が接続される給水口６と、吐出パイプ（図示せず）に対して混合湯水を供給する第１の吐出口７と、シャワーホース等が取り付けられ、シャワーに対して混合湯水を供給する第２の吐出口８とを備えている。
この給湯口５、給水口６は、略円筒状のハウジング４の背面側に設けられ、第１の吐出口７は略円筒状のハウジング４の下面側に設けられ、第２の吐出口８は前記ハウジング４の上面側に設けられている。
【００２３】
このハウジング４は樹脂製であり、樹脂としては、例えば、耐熱性を有する、例えば、ＰＰＳ（ポリフェニレンサルファイド）樹脂、ＰＳＦ（ポリサルフォン）樹脂等が用いられ、給湯口５、給水口６、第１の吐出口７、第２の吐出口８を有するハウジング４は成形によって形成される。
【００２４】
また、図１乃至図７には図示されていないが、混合栓機構２を操作するための回転軸２１の外側に、回転軸２１を回転させるための温度調整用のダイヤル（レバー）が設けられている。同様に吐出切換機構３を操作するための回転軸３１の外側に、回転軸３１を回転させるための切換え用のダイヤル（レバー）が設けられる。
尚、吐出切換機構３は、図３に示すように、回転軸３１の回転よって第１の吐出口、第２の吐出口を切換える切換弁３２と、ハウジング４の吐出切換機構の収容端を密閉する蓋体３３を備えている。吐出切換機構３は一般的に知られている構成と同様であるため、詳細な説明は省略する。
【００２５】
次に、図３乃至図５に基づいて混合栓機構２について説明する。
混合栓機構２は、図３示すように、回転軸２１を回転可能に支持するケーシング２２を有している。このケーシング２２は樹脂製であり、樹脂としては、例えば、耐熱性を有する、例えば、ＰＰＳ（ポリフェニレンサルファイド）樹脂、ＰＳＦ（ポリサルフォン）樹脂等が用いられ、成形によって形成される。
【００２６】
このケーシング２２は、図３、図６、図７に示すように、全体形状として有底円筒状に形成され、前記ケーシング２２の先端部の筒壁には、給湯口５と連通し、湯がケーシング２２の内部に流入する湯流入口Ａが形成されている。尚、前記給湯口５と湯流入口Ａは、前記ハウジング４の内周面と前記ケーシング２２の外周面とによって形成された湯流入路Ｅによって連通する。
また、図７に示すように、ケーシング２２の先端２２ｃの外径Ｄ３は、前記湯流入口Ａが形成されたケーシング２２の外径Ｄ４よりも大きく形成され、前記Ｏリング２４はハウジング４に設けられた段部４ｆとケーシング２２の先端２２ｃ間に配置される。
【００２７】
また、このケーシング２２の外周面には、ケーシング２２とハウジング４との間の気密性を保つためのＯリング２３が設けられている。
更に、このケーシング２２の外周面には蓋体２２ａが形成され、この蓋体２２ａの外周面には螺子部２２ｂが形成され、ハウジング４の螺子部４ａと螺合するように構成されている。
したがって、ハウジング４内にケーシング２２（混合栓機構２）を収容した状態にあっては、ハウジング４内部は密閉され、湯水の漏出が防止される。
【００２８】
このケーシング２２の先端部の湯流入口Ａと軸方向に並列して、水が流入される水流入口Ｂが設けられている。この水流入口Ｂはハウジング４に形成され、Ｏリング２４とケーシング２２の先端２２ｃによって、湯流入口Ａと水流入口Ｂが仕切られ、湯と水が混じり合わないようになされている。
尚、前記Ｏリング２４は、後述する制御弁体の弁体２５ａに接し、弁体２５ａが移動した際も、湯流入口Ａと水流入口Ｂを仕切し、湯と水が混じり合わないようになされている。
【００２９】
また、ケーシング１の湯流入口Ａ、水流入口Ｂ内側からハウジング４の切換室Ｄ（図３では右側）に向かっては混合室Ｃが形成されている。
また、ハウジング４には仕切壁４ｂが設けられ、この仕切壁４ｂによって、前記混合室Ｃと、吐出切換機構３が収容される切換室Ｄとに分けられる。
【００３０】
この仕切壁４ｂには、混合湯水を切換室Ｄに吐出するための連通孔４ｃが形成され、湯流入口Ａから流入した湯と水流入口Ｂから流入した水とが、それぞれ混合室Ｃに流れ、混合室Ｃ内で水と湯とが混合された後、前記連通孔４ｃから切換室Ｄに混合湯水が供給されるように構成されている。
【００３１】
また、図５に示すように、ケーシング２２の湯流入口Ａの左側の位置に湯弁座２２ｄが形成され、ハウジング４の水流入口Ｂの右側の位置に水弁座４ｄが形成されている。
そして、湯弁座２２ｄと水弁座４ｄとの間には、ハウジング４の軸方向に移動可能な、制御弁体２５が組み込まれている。
即ち、湯弁座２２ｄと水弁座４ｄに当接する、湯弁２５ｆと水弁２５ｇ（弁体２５ａ）を有する制御弁体２５によって、湯流入口Ａと水流入口Ｂの開度調整が行われ、混合室Ｃへの湯と水の供給量が調整される。
【００３２】
また、混合栓機構２は、前記回転軸２１と螺合し、前記回転軸２１の回転動作に応じて進退し、制御弁体２５の軸方向の位置を調整する調整ネジ軸２６を備えている。
この調整ネジ軸２６は、ケーシング２２に回動することなく、ケーシング２２の軸線方向に移動可能に構成されている。また、調整ネジ軸２６には螺子部２６ａが形成され、回転軸２１の螺子部２１ａと螺合している。
その結果、温調用ダイヤルを回転させることにより、回転軸２１の螺子部２１ａが回転し、調整ネジ軸２６を軸線方向に摺動させ、付勢体２７を介して、制御弁体２５を移動させる。
【００３３】
即ち、ユーザは、温調用ダイヤルを操作することにより、所望する温度の混合水が吐出するように、制御弁体２の位置を設定し、また変更できる。
尚、図３中、符号２９は前記調整ネジ軸２６の戻しばねであり、一端が固定部材２９ａｎｉ係止され、他端は前記調整ネジ軸２６に係止される。この戻しばね２９により、調整ネジ軸２６は、がたつきことなく、軸線方向に移動させることができる。
【００３４】
前記制御弁体２５は、図４に示すように、円筒状に形成された弁体２５ａと、前記弁体２５ａの内部に設けられた有底円筒状に形成された付勢体収容部２５ｂと、前記弁体２５ａと付勢体収容部２５ｂを連結するために、軸線方向に延設されたリブ２５ｃと、付勢体収容部２６ｂの底部２５ｄから外側に向かって軸線方向に延設された軸部２５ｅが設けられている。この軸部２５ｅは、図３に示すように、ハウジング４の仕切壁４ｂに形成された軸案内孔４ｅ内に摺動可能に挿入され、制御弁体２５の移動をガイドするように構成されている。
【００３５】
また、底部２５ｄには、付勢体収容部２５ｂの内部に進入した湯を混合室Ｃ内に導く連通孔２５ｈが形成されている。また、弁体２５ａの内周面と付勢体収容部２５ｂの外周面との間（リブ２５ｃ間）は、湯を混合室Ｃ内に導く流通路２５ｉが形成されている。
尚、この制御弁体２５は、耐熱性を有する、例えば、ＰＰＳ（ポリフェニレンサルファイド）樹脂、ＰＳＦ（ポリサルフォン）樹脂等により成形によって形成される。
【００３６】
また、弁体２５ａは、その筒壁の一端縁（図４（ｂ）の上端縁）に湯弁２５ｆが形成され、他端縁（図４の下端縁）に水弁２５ｇが形成されている。
前記制御弁体２５の湯弁２５ｆがケーシング２２の湯弁座２２ｄに当接することによって、湯の供給が遮断され、また、前記制御弁体の水弁２５ｇがハウジング４の水弁座４ｄに、当接することによって、水の供給が遮断される。
このように、制御弁体２５の湯弁２５ｆがケーシング２２の湯弁座２２ｄに当接し、また制御弁体の水弁２５ｇがハウジング４の水弁座４ｄに当接するが、制御弁体２５、ケーシング２２、ハウジング４は樹脂で形成されているため、弁及び弁座の磨耗を抑制できる。特に、制御弁体２５、ケーシング２２、ハウジング４が同一の樹脂で形成されていることが望ましい。
【００３７】
また、図３、図５に示すように、この制御弁体２５は、湯流入口Ａと水流入口Ｂとの間に設けられた、一つのＯリング２４に接し、このＯリング２４により支持されている。
即ち、この弁体２５ａの外周面は、一つのＯリング２４に接し支持され、湯弁２５ｆと水弁２５ｇとの間を気密になすと共に、弁体２５ａが軸線方向に摺動可能に構成されている。そして、弁体２５ａが軸線方向に摺動することにより、前記したように、湯弁２５ｆと湯弁座２２ｄの開度により湯の量が調整され、水弁２５ｇと水弁座４ｄの開度により湯の量が調整される。
【００３８】
また、図３、図５に示すように、このＯリング２４は、ケーシング２２の先端２２ｃによってハウジング４に設けられた段部４ｆに圧接することにより、湯流入口Ａと水流入口Ｂを分け、湯流入口Ａと水流入口Ｂの間の湯、水の漏出を防止している。
ここで、前記ケーシング２２を挿入するハウジング端から水流入口Ｂとの間のハウジング内周面において、湯流入口Ａと水流入口Ｂとの間に、最小径のハウジング内周面が形成されている。そして、この最小径のハウジング内周面に段部４ｆが形成されている。
即ち、この段部４ｆは、ケーシング２２を挿入するハウジング４端から水流入口Ｂの間で、最小径のハウジング４内周面に形成される。そのため、このＯリング２４は、ハウジング４に設けられた段部４ｆに配置する際、ハウジング４の内周面に擦れあうことがなく、このＯリング２４の損傷を防止することができる。
【００３９】
このＯリング１０の材質としては、ＥＰＤＭ（エチレンプロピレンジエンゴム）、六フッ化プロピレン‐フッ化ビニリデン共重合体（FKM），あるいはブチルゴムが用いられる。
この六フッ化プロピレン‐フッ化ビニリデン共重合体（FKM）は、耐熱性、反発弾性が小さく衝撃吸収性に優れているという性質を備え、ブチルゴムも、六フッ化プロピレン‐フッ化ビニリデン共重合体（FKM）と同様に、耐熱性、反発弾性は小さく衝撃吸収性に優れている性質を備えているため、好ましい。
【００４０】
また、制御弁体２５の付勢体収容部２５ｂの内部には付勢体２７が収容され、その付勢体２７の一端部が付勢体収容部２５ｂの底部２５ｄの内面に接して配置されている。
これにより付勢体２７の反発力を受けて、制御弁体２５を水弁座４ｄ側に摺動させることができる。
尚、付勢体収容部２５ｂの底部２５ｄの外面には、前記アクチュエータ２８の一端部が接して配置されている。これによりアクチュエータ２８の反発力を受けて、制御弁体２５を湯弁座２２ｄ側に摺動させることができる。
【００４１】
また、前記付勢体２７は、ばね定数が一定の材質の素材により形成されている。この付勢体２７としては、例えば、ステンレスの製のコイルスプリングを挙げることができるが、具体的な構成について特に限定されない。
【００４２】
また、アクチュエータ２８は、温度変化に応じて伸縮作動をするものである。このアクチュエータ２８としては、例えば、温度に応じてばね定数が変化する材質の素材により形成された形状記憶合金製ばね（ＳＭＡ（Shape memory alloy）ばね）やワックスエレメントを挙げることができるが、具体的な構成について特に限定されない。
【００４３】
このアクチュエータ２８は、図３に示すように、ハウジング４の内部に形成された仕切り壁４ｂと制御弁体２５の底部の外面とに接し、支持される。
そして、制御弁体２５は、付勢体２６およびアクチュエータ２８から受ける荷重のバランスにより、湯弁２５ｆと湯弁座２２ｄとの間隔と、水弁２５ｇと水弁座４ｄとの間隔とを調整する。この構成により、湯水混合栓１は、湯流入口Ａから流入する湯と、水流入口Ｂから流入する水との混合比が調節される。
【００４４】
次に、図６、図７に基づいて、湯水混合栓の組立ての一例について説明する。
ハウジング４の混合室Ｃ内にアクチュエータ２８を収容し、一端が仕切り壁４ｂに接するように配置する。
続いて、予め、弁体２５の外周面にＯリング２４が装着されまた付勢体２７が付勢体収容部２５ｂに収容された制御弁体２５ａを、ハウジング４の混合室Ｃ内に収容する。
【００４５】
このとき、制御弁体２５の軸部２５ｅを仕切り壁４ｂの軸案内孔４ｅ内に挿入すると共に、制御弁体２５の底部２５ｄの外面にアクチュエータ２８の他端が接するように配置される。
また、Ｏリング２４の外径Ｄ１は、段部４ｆを除く、ハウジング（段部４ｆを除く）の内径Ｄ２よりも小さく形成されているため、制御弁体２５の収容の際、Ｏリング２４はハウジング４の内周面に擦れ合うことなく移動し、段部４ｆに係止される。
尚、ケーシングの先端２２ｃの外径Ｄ３も、ハウジング（段部４ｆを除く）の内径Ｄ２よりも小さく形成されているため、ケーシング２２の収容の際、ハウジング４の内周面に擦れ合うことなく移動し、Ｏリング２４を押圧することができる。
【００４６】
そして、調整ネジ軸２６、回転軸２１等が組み込まれたケーシング２２を、ハウジング２１内部に収容する。
このとき、ケーシング２２の先端２２ｃは、Ｏリング２４と接し、湯流入口Ａと、水流入口Ｂとを仕切り、湯と水が混じり合わないようになされる。
また、ケーシング２２の外径Ｄ４が、ハウジング４の内径Ｄ２よりも小さく形成されているため、ケーシング２２がハウジング４内に収容されることにより、ハウジング４とケーシング２２との間に湯流入路Ｅが形成される。
更に、ケーシング２２の外周面に設けられたＯリング２３によって、ハウジング４とケーシング２２との間が気密になされ、湯、水の漏れを防止される。
尚、ケーシング２２は、蓋体２２ａがハウジング４に対して螺合することによって、ハウジング４に固定され、抜けが防止される。
【００４７】
次に、図８、図９に基づいて、湯水混合栓の組立ての他の例について説明する。
この湯水混合栓の組立て例は、予め、調整ネジ軸２６、回転軸２１、付勢体２７、制御弁体２５、アクチュエータ２８、Ｏリング２４等が組み込まれたケーシング２２を用意する。
そして、ハウジング４の混合室Ｃ内に前記ケーシング２２を収容し、制御弁体２５の軸部２５ｅを仕切り壁４ｂの軸案内孔４ｅ内に挿入すると共に、制御弁体２５の底部２５ｄの外面２にアクチュエータ２８の他端が接するように配置する。
【００４８】
前記制御弁体２５の収容する際、Ｏリング２４はハウジング４の内周面に擦れ合うことなく移動し、段部４ｆに係止される。これにより、ケーシング２２の先端２２ｃは、Ｏリング２４と接し、湯流入口Ａと、水流入口Ｂとを仕切り、湯と水が混じり合わないようになされる。
また、ケーシング２２がハウジング４内に収容されることにより、湯流入路Ｅが形成される。更に、ケーシング２２の外周面に設けられたＯリング２３によって、ハウジング４とケーシング２２との間が気密になされ、湯、水の漏れを防止される。
尚、ケーシング２２は、蓋体２２ａがハウジング４に対して螺合することによって、ハウジング４に固定され、抜けが防止される。
【００４９】
このように組み立てられた湯水混合栓にあっては、温度調節ハンドル（図示せず）により付勢体２７の付勢量を調節することにより出湯温度を設定した後は、従来の湯水混合栓と同様に、アクチュエータ２８と付勢体２７によって、制御弁体による湯流入口、水流入口の開度調整が行われ、出湯温度が調節される。
【００５０】
以上述べたように、本発明にかかる湯水混合水栓は、混合室からの混合湯水と水流入口からの水が混じりを防止するＯリングを設ける必要がなく、湯と水の混じりを防止するＯリングを収容する際、Ｏリングはハウジングの内周面と擦れあることがなく、Ｏリングの損傷を抑制することができる。
また、ケーシングをハウジング内に収容することで、給湯口と連通し、かつ湯流入口と連通する湯流入路が形成され、また前記Ｏリングがハウジングに設けられた段部に押圧され、湯流入口と水流入口が仕切られ、湯、水の混じり合うのを阻止することができる。
更に、ハウジング、ケーシング、制御弁体は同一の樹脂で形成されている場合には、弁及び弁座の磨耗を抑制できる。
【符号の説明】
【００５１】
１      湯水混合水栓
２      混合栓機構
３      吐出切換機構
４      ハウジング
４ａ    螺子部
４ｂ    仕切り壁
４ｃ    連通口
４ｄ    水弁座
４ｅ    軸案内孔
４ｆ    段部
５      給湯口
６      給水口
７      第１の吐出口
８      第２の吐出口
２１    回転軸
２２    ケーシング
２２ｃ  ケーシング先端
２２ｄ  湯弁座
２３    Ｏリング
２４    Ｏリング
２５    制御弁体
２５ａ  弁体
２５ｆ  湯弁
２５ｇ  水弁
２６    調整ネジ軸
２７    付勢体
２８    アクチュエータ
Ａ      湯流入口
Ｂ      水流入口
Ｃ      混合室
Ｄ      切換室
Ｅ      湯流入路
【図１】
2020037988.tif 000003
【図２】
2020037988.tif 000004
【図３】
2020037988.tif 000005
【図４】
2020037988.tif 000006
【図５】
2020037988.tif 000007
【図６】
2020037988.tif 000008
【図７】
2020037988.tif 000009
【図８】
2020037988.tif 000010
【図９】
2020037988.tif 000011